(57)【要約】【課題】  奥行きを抑えて小型化、省スペース化でき、重い支持腕によることなくプレス鏝の駆動を可能にして軽量化でき、また人体型の下側に配管等を設け易くすると共に、価格を低廉化でき、更には安定した動作を長期間にわたって得られるようにする。【解決手段】  衣服２を着せるための人体型３の前後を押圧して衣服２をプレス仕上げする衣服用プレス鏝４の駆動装置１を、人体型３の前後方向に揺動する縦向き状のシリンダー装置５と、このシリンダー装置５のロッド５ａの先端に取り付けてロッド５ａの伸縮動作を衣服用プレス鏝４の進退動作に変換するリンク装置６とで形成する。【選択図】      図１
2009011675.tif 000002
【特許請求の範囲】
【請求項１】
衣服を着せるための人体型の前後を押圧して衣服をプレス仕上げする衣服用プレス鏝の駆動装置であって、人体型の前後方向に揺動する縦向き状のシリンダー装置と、このシリンダー装置のロッドの先端に取り付けられてロッドの伸縮動作を衣服用プレス鏝の進退動作に変換するリンク装置とで形成されていることを特徴とする衣服用プレス鏝の駆動装置。
【請求項２】
請求項１記載の衣服用プレス鏝の駆動装置であって、リンク装置が、人体型の左右方向に沿った軸部材で６個のリンク部材が連結されて人体型の側方から見て略六角形状に形成されている本体部と、この本体部の動きを規制して本体部の進行方向の片側に取り付けられている衣服用プレス鏝を平行移動させる制御部材とを備えて形成されていることを特徴とする衣服用プレス鏝の駆動装置。
【請求項３】
衣服を着せるための人体型と、この人体型の前後を押圧して衣服をプレス仕上げする衣服用プレス鏝とを備え、人体型の前側の衣服用プレス鏝が、人体型の側方に退避動作自在に形成されている衣服のプレス仕上げ機であって、人体型の後側の衣服用プレス鏝の駆動装置が、人体型の前後方向に揺動する縦向き状のシリンダー装置と、このシリンダー装置のロッドの先端に取り付けられてロッドの伸縮動作を後側の衣服用プレス鏝の進退動作に変換するリンク装置とで形成されていることを特徴とする衣服のプレス仕上げ機。
【請求項４】
請求項３記載の衣服のプレス仕上げ機であって、リンク装置が、人体型の左右方向に沿った軸部材で６個のリンク部材が連結されて人体型の側方から見て略六角形状に形成されている本体部と、この本体部の動きを規制して本体部の進行方向の片側に取り付けられている衣服用プレス鏝を平行移動させる制御部材とを備えて形成されていることを特徴とする衣服のプレス仕上げ機。
【請求項５】
請求項３又は４記載の衣服のプレス仕上げ機であって、人体型の前側の衣服用プレス鏝の駆動用装置が、前側の衣服用プレス鏝を人体型の前方に配置させる離し部材と、前側の衣服用プレス鏝が退避位置から移動して人体型の前に配置されると、前側の衣服用プレス鏝を、上記の離し部材の力に抗して人体型の左右方向に沿った軸を中心に人体型に向かって回動させるシリンダーとで形成され、上記の離し部材が前側の衣服用プレス鏝の支持腕の下部に設けられ、上記のシリンダーが人体型の後側の下部にロッドを前後方向に伸縮する状態で設けられていることを特徴とする衣服のプレス仕上げ機。
【発明の詳細な説明】
【技術分野】
【０００１】
本発明は、シャツや上着等の衣服を人体型に着せた状態でプレス仕上げするプレス鏝の駆動装置に関し、更に詳しくは、この駆動装置と、これを用いた衣服のプレス仕上げ機に関するものである。
【背景技術】
【０００２】
従来、この種の駆動装置は、通常、人体型の下側に、ロッドが人体型の前後方向に伸縮する状態で設けられている（例えば特許文献１参照）。
また従来、この種の駆動装置としては、シリンダーを上向き状に固定し、ロッドの伸縮動作で、プレス鏝を進退動作させる構造のものも知られている（例えば特許文献２参照）。
【０００３】
而して特許文献１の駆動装置の場合は、シリンダーのボディの長さと、ロッドのストロークとを足した長さだけ、仕上げ機の奥行きが、最低でも、必要になった。
従ってこれによると、仕上げ機の奥行きを小さくするのに制約があり、設置スペースが広く必要で、小型化、省スペース化に限界があった。
また特許文献１の駆動装置は、人体型の下側に設けられているから、人体型の下側に配管等の機器を自由に設けることができなかった。
また従来、この種の駆動装置で動作するプレス鏝は、通常、起立状の支持腕に取り付けられている。この場合、支持腕は、傾倒してもプレス鏝を安定的に保持できるようにする必要から、厚い鉄板で堅固に作られているのが通例である。
そのため従来の仕上げ機は、重量が増加し、駆動装置が大型化するのを避けられない、という問題点があった。
また特許文献２の駆動装置によると、ロッドの伸縮動作をプレス鏝の進退動作に変換する部材を上下方向に案内するため、高価な案内部品が必要になった。
従ってこれによると、部品コストが増加し、製品価格が高く付き易い、という問題点があった。またこれによると、部品の係合箇所が摩耗し、長期間にわたって安定した動作を保障しにくい、という問題点があった。
【特許文献１】米国特許第４６３４０３０号公報
【特許文献２】米国特許第６７５８３７７号公報
【発明の開示】
【発明が解決しようとする課題】
【０００４】
本発明は、このような従来技術の問題点に鑑み、提案されたものである。
従って本発明の解決しようとする技術的課題は、奥行きを抑えて小型化、省スペース化でき、重い支持腕によることなくプレス鏝の駆動を可能にして軽量化でき、また人体型の下側に配管等を設け易くすると共に、価格を低廉化でき、更には安定した動作を長期間にわたって得られるよう形成した衣服用プレス鏝の駆動装置及びこれを用いた同様の効果を奏する衣服のプレス仕上げ機を提供することにある。
【課題を解決するための手段】
【０００５】
本発明は、上記の課題を解決するため、次のような技術的手段を採る。
即ち本発明は、図１等に示されるように、衣服２を着せるための人体型３の前後を押圧して衣服２をプレス仕上げする衣服用プレス鏝４の駆動装置１であって、人体型３の前後方向に揺動する縦向き状のシリンダー装置５と、このシリンダー装置５のロッド５ａの先端に取り付けられてロッド５ａの伸縮動作を衣服用プレス鏝４の進退動作に変換するリンク装置６とで形成されていることを特徴とする（請求項１）。
【０００６】
ここで、衣服２としては、シャツや、ジャケットなどの上着がある。本発明の場合、シリンダー装置５のロッド５ａは、下向きでも、上向きでも良い。本発明の駆動装置１は、衣服２を着せるための人体型３と、この人体型３の前後を押圧して衣服２をプレス仕上げする仕上げ機であれば、例えば前側のプレス鏝は可動式でも固定式でも良い。また本発明の駆動装置１は、前後のプレス鏝の何れの側に実現されるのでも、或いは両方に実現されるのでも良い。
【０００７】
また本発明の場合、リンク装置６は、人体型３の左右方向に沿った軸部材９で６個のリンク部材１０が連結されて人体型３の側方から見て略六角形状に形成されている本体部６ａと、この本体部６ａの動きを規制して本体部６ａの進行方向の片側に取り付けられている衣服用プレス鏝４を平行移動させる制御部材６ｂとを備えて形成されているのが好ましい（請求項２）。
なぜならこれによると、本体部６ａが関節を６個有するため、平行移動を実現し易くなり、また本体部６ａの一方側に、衣服用プレス鏝４を上下２箇所で接続でき、取り付け状態を、強固に且つ安定化できるからである。
【０００８】
また本発明の課題を達成する衣服２のプレス仕上げ機としては、図１、図２等に示されるように、衣服２を着せるための人体型３と、この人体型３の前後を押圧して衣服２をプレス仕上げする衣服用プレス鏝４、１４とを備え、人体型３の前側の衣服用プレス鏝１４が、人体型３の側方に退避動作自在に形成されている衣服２のプレス仕上げ機であって、人体型３の後側の衣服用プレス鏝４の駆動装置１が、人体型３の前後方向に揺動する縦向き状のシリンダー装置５と、このシリンダー装置５のロッド５ａの先端に取り付けられてロッド５ａの伸縮動作を後側の衣服用プレス鏝４の進退動作に変換するリンク装置６とで形成されていることを特徴とするものがある（請求項３）。
このプレス仕上げ機の場合、シリンダー装置５は、縦向き状に設けられているのであれば、ロッド５ａは下向きでも、上向きでも良い。
【０００９】
またこの仕上げ機の場合、リンク装置６は、人体型３の左右方向に沿った軸部材９で６個のリンク部材１０が連結されて人体型３の側方から見て略六角形状に形成されている本体部６ａと、この本体部６ａの動きを規制して本体部６ａの進行方向の片側に取り付けられている衣服用プレス鏝４を平行移動させる制御部材６ｂとを備えて形成されているのが好ましい（請求項４）。
なぜならこれによると、本体部６ａが関節を６個有するため、平行移動を実現し易くなり、また本体部６ａの一方側に、衣服用プレス鏝４を上下２箇所で接続でき、取り付け状態を、強固に且つ安定化できるからである。
【００１０】
また本発明の仕上げ機は、図１等に示されるように、人体型３の前側の衣服用プレス鏝１４の駆動用装置１５が、前側の衣服用プレス鏝１４を人体型３の前方に配置させる離し部材１６と、前側の衣服用プレス鏝１４が退避位置から移動して人体型３の前に配置されると、前側の衣服用プレス鏝１４を、上記の離し部材１６の力に抗して人体型３の左右方向に沿った軸１７を中心に人体型３に向かって回動させるシリンダー１８とで形成され、上記の離し部材１６が前側の衣服用プレス鏝１４の支持腕２１の下部に設けられ、上記のシリンダー１８が人体型３の後側の下部にロッド１８ａを前後方向に伸縮する状態で設けられているのが好ましい（請求項５）。
【００１１】
なぜならこれによると、支持腕２１の下部に、前側の衣服用プレス鏝１４を人体型３に押し付けるためのシリンダーを設ける必要がないため、支持腕２１を軽量化でき、前側の衣服用プレス鏝１４を、小さな力で楽に移動させることができるからである。
またこの場合は、支持腕２１の下部にシリンダーを設ける必要がないため、支持腕２１の下部を小さくできる。従ってこれによると、人体型３の前側で作業するとき、支持腕２１の下部が支障になることを防止でき、作業をし易くなる、という利点がある。
【発明の効果】
【００１２】
本発明の駆動装置は、このように人体型の前後方向に揺動する縦向き状のシリンダー装置と、このシリンダー装置のロッドの先端に取り付けられてロッドの伸縮動作を衣服用プレス鏝の進退動作に変換するリンク装置とで形成されている。
従って本発明の駆動装置によれば、仕上げ機の奥行きを抑えることができ、仕上げ機の小型化、省スペース化を図ることができる。
また本発明の駆動装置は、人体型の下側に設けられるものではないから、人体型の下側に配管等を設け易くなる。
また本発明は、重い支持腕によることなくプレス鏝を駆動できるから、仕上げ機の軽量化を図ることができる。
更に本発明は、高価な案内部品を省略でき、また摺動構造を伴うものでもない。従ってこれによれば、低廉化でき、安定した動作を維持し易い、という利点がある。
【００１３】
また本発明の仕上げ機は、後側の衣服用プレス鏝の駆動装置が、上記のような縦向き状のシリンダー装置と、リンク装置とで形成されている。
従ってこれによれば、仕上げ機の奥行きを抑えることができ、仕上げ機の小型化、省スペース化を図ることができる。
また本発明の仕上げ機は、後側のプレス鏝の駆動用シリンダーを、人体型の下側から一掃でき、前側のプレス鏝の駆動用シリンダーは、人体型の下側にロッドが通されるだけである。従ってこれによると、人体型の下側に配管等を設け易くなる。
また本発明の仕上げ機の場合、後側の衣服用プレス鏝は、重い支持腕によることなく駆動できるから、これによれば仕上げ機の軽量化を図ることができる。
また本発明の仕上げ機は、高価な案内部品を省略でき、また摺動構造を伴うものでもない。従ってこれによれば、低廉化でき、安定した動作を長期間にわたって維持し易いものである。
【発明を実施するための最良の形態】
【００１４】
以下、本発明を実施するための最良の形態を説明する。
この実施形態の場合、本発明の駆動装置１は、図１等に示されるように、衣服２を着せるための人体型３の後側を押圧し、衣服２の背面をプレス仕上げする後側の衣服用プレス鏝４に実現されている。
【００１５】
而して本発明の駆動装置１は、人体型３の前後方向に揺動する縦向き状のシリンダー装置５と、このシリンダー装置５のロッド５ａの先端に取り付けられてロッド５ａの伸縮動作を、後側の衣服用プレス鏝４の進退動作に変換するリンク装置６とで形成されている。
【００１６】
上記のシリンダー装置５は、この実施形態では人体型３の真後ろに立てられている支柱７の上部の中に、ロッド５ａを下向きにして取り付けられている。８は、シリンダー装置５を取り付けるための取付部材である。シリンダー装置５は、この取付部材８の取付軸８ａを中心に、人体型３の前後方向に揺動自在に支柱７に取り付けられている。
【００１７】
また上記のリンク装置６は、図１、図３、図４等に示されるように、人体型３の左右方向に沿った軸部材９で６個のリンク部材１０が連結されて人体型３の側方から見て略六角形状に形成されている本体部６ａと、この本体部６ａの動きを規制して本体部６ａの進退方向の片側に取り付けられている衣服用プレス鏝４を平行移動させる制御部材６ｂとを備えて形成されている。シリンダー装置５のロッド５ａの先端は、図１等に示されるように、人体型３を右側方から見て上側の左右のリンク部材１０を連結する頂点位置の軸部材９に、回動可能に取り付けられている。１１（図５等参照）は、緩衝用のコイルバネである。リンク装置６は、図１、図５等に示されるように、この実施形態では支柱７の中に納められている。
【００１８】
上記のリンク部材１０は、図３、図４等に示されるように、平行状の板１０ａに横板１０ｂが渡されて形成されている。制御部材６ｂは、長板状に形成され、人体型３を右側方から見て、本体部６ａの右側に配置されている。この制御部材６ｂは、具体的には、上下のリンク部材１０の端部の所定位置に縦方向に渡され、ボルト状の止め具１２でリンク部材１０に連結されている。この場合、止め具１２は、図５等に示されるように、支柱７の側板に固定され、制御部材６ｂは、この止め具１２で支柱７に固定されている。そしてリンク部材１０は、止め具１２を中心に回動可能に連結されている。
【００１９】
上記の後側の衣服用プレス鏝４は、図４、図６に示されるように、背面に、平行状の縦板１３が設けられている。本体部６ａは、この縦板１３の上下位置に、図面上、左側の上下のリンク部材１０の端部の所定位置が、ボルト状の止め具１２で、この止め具１２を中心に回動可能に連結されている。
【００２０】
次に、本発明の仕上げ機について説明する。
本発明の仕上げ機は、図１に示されるように、衣服２を着せるための人体型３と、この人体型３の後側を押圧して衣服２をプレス仕上げする後側の衣服用プレス鏝４と、このプレス鏝４を進退動作させる駆動装置１とを備えている。この駆動装置１は、上記の通り、シリンダー装置５と、リンク装置６とで形成されている。駆動装置１の構成は、上記の通りであるから、詳しい説明は省略する。また本発明の仕上げ機は、図２に示されるように、人体型３の前側の衣服用プレス鏝１４が、人体型３の側方に退避動作自在に形成されている。
【００２１】
また前側の衣服用プレス鏝１４の駆動用装置１５は、図１、図８等に示されるように、前側の衣服用プレス鏝１４を人体型３の前方に配置させる離し部材１６と、前側の衣服用プレス鏝１４が退避位置から移動して人体型３の前に配置されると、前側の衣服用プレス鏝１４を、上記の離し部材１６の力に抗して人体型３の左右方向に沿った軸１７を中心に人体型３に向かって回動させるシリンダー１８とで形成されている。図２において、１９は、前側の衣服用プレス鏝１４を、左右方向に案内するガイド部材である。また２０は、このガイド部材１９に沿って前側の衣服用プレス鏝１４を移動させるための横向き状のシリンダーである。
【００２２】
前側の衣服用プレス鏝１４は、図１等に示されるように、支持腕２１の上部に設けられている。支持腕２１は、上記の横向き状のシリンダー２０（図２参照）で左右方向に移動するフレーム２２に、軸１７を中心に人体型３の前後方向に回動可能に取り付けられている。上記の離し部材１６は、支持腕２１の下部に設けられている。この離し部材１６は、図８等に示されるように、具体的には、後端２３ａがフレーム２２に固定されて前方に下り傾斜状に設けられている丸棒２３と、この丸棒２３に嵌め挿されているスプリング２４とで形成されている。丸棒２３は、支持腕２１の下部の横向き状のバー２５に通され、スプリング２４はこのバー２５と、丸棒２３の前端２３ｂが固定されているプレート２６との間に設けられている。
【００２３】
上記のシリンダー１８は、人体型３の後側の下部に、ロッド１８ａを前後方向に伸縮する状態で設けられている。このシリンダー１８のロッド１８ａの先端は、上記の支持腕２１の下端部に対向状に配置されている。このシリンダー１８は、前側の衣服用プレス鏝１４が人体型３の前に配置されると駆動し、支持腕２１の下端部をロッド１８ａが突いて押圧する。
【００２４】
次に本発明の作用を、図６〜図１１等に従って説明する。
本発明の駆動装置１は、図６に示される状態において、シリンダー装置５のロッド５ａが伸びると、シリンダー装置５は、図７に示されるように、取付軸８ａを中心にロッド５ａの先端が前方に移動し、傾斜状に配置される。そして制御部材６ｂの作用で、図面上、上下の左右のリンク部材１０が同期して同じ角度で開かれ、左側の縦向きのリンク部材１０が平行移動して離される。これにより、後側の衣服用プレス鏝４が、前方に平行移動し、人体型３の後側を押圧して衣服２をプレス仕上げする。
またシリンダー装置５のロッド５ａが収縮すると、本体部６ａが、上例と逆に動作する。その結果、後側の衣服用プレス鏝４が後退し、人体型３から離される（図１、図６の状態参照）。
【００２５】
また本発明の仕上げ機は、図２に示されるように、前側の衣服用プレス鏝１４は、人体型３の側方に配置されている。人体型３に衣服２を着せ、始動スイッチを入れると、横向き状のシリンダー２０が駆動して前側の衣服用プレス鏝１４が人体型３の前に移動して配置される（図２鎖線状態参照）。
【００２６】
すると、シリンダー１８が駆動し、スプリング２４の弾発力に抗してロッド１８ａが、前側の衣服用プレス鏝１４の支持腕２１の下端部を押す。この結果、支持腕２１が、図１０に示されるように、軸１７を中心に人体型３に向かって回動し、前側の衣服用プレス鏝１４が、人体型３の前側を押して衣服２をプレス仕上げする。
【００２７】
そしてその後、シリンダー１８のロッド１８ａが収縮する。すると、支持腕２１は、下端部に加えられていた力が無くなるため、スプリング２４の復元力で、軸１７を中心に人体型３の前方に回動し、復帰する。これにより、前側の衣服用プレス鏝１４は、人体型３から引き離される。
【図面の簡単な説明】
【００２８】
【図１】本発明の好適な一実施形態を示す側面図である。
【図２】本発明の仕上げ機の正面図である。
【図３】駆動装置を説明するための要部分解斜視図である。
【図４】駆動装置を説明するための要部斜視図である。
【図５】駆動装置を説明するための要部斜視図である。
【図６】駆動装置を説明するための要部側面図である。
【図７】駆動装置を説明するための要部側面図である。
【図８】本発明の仕上げ機の要部側面図である。
【図９】図８に係る本発明の仕上げ機の要部拡大側面図である。
【図１０】本発明の仕上げ機の要部側面図である。
【図１１】図１０に係る本発明の仕上げ機の要部拡大側面図である。
【符号の説明】
【００２９】
１      駆動装置
２      衣服
３      人体型
４      衣服用プレス鏝
５      シリンダー装置
５ａ    ロッド
６      リンク装置
【図１】
2009011675.tif 000003
【図２】
2009011675.tif 000004
【図３】
2009011675.tif 000005
【図４】
2009011675.tif 000006
【図５】
2009011675.tif 000007
【図６】
2009011675.tif 000008
【図７】
2009011675.tif 000009
【図８】
2009011675.tif 000010
【図９】
2009011675.tif 000011
【図１０】
2009011675.tif 000012
【図１１】
2009011675.tif 000013